(57)【特許請求の範囲】
【請求項１】
透明の部材によって囲まれることでＬ字型の中空部として形成される声道部と、
互いに対して整列して配設され個別に操作可能でかつ着色された複数の本体部材を有し、前記声道部に配設される舌本体ユニットと、
を具備し、
前記声道部は、口腔部として機能する前記声道部の一部の下面に配設され、前記声道部の内部と外部とに連通する周面開口部を有し、
前記本体部材は、
前記周面開口部を通じて、前記口腔部として機能する前記声道部の一部を塞ぐ閉塞状態と前記口腔部が開く開放状態との間を往復するように個別に移動可能であり、かつ前記周面開口部を介して前記声道部の軸方向と直交する方向に沿って前記口腔部として機能する前記声道部の一部の内周面をスライド移動する動作本体部と、
前記閉塞状態において前記声道部の内部に収納され、前記開放状態において前記周面開口部を通じて前記声道部の外部に露出し、前記動作本体部と一体で、前記動作本体部を含む前記本体部材の移動を操作する操作部と
を有し、
前記操作部は、前記開放状態から前記閉塞状態への前記本体部材の移動を直接操作し、
前記本体部材は、前記操作部の操作が解放された際、自重によって前記閉塞状態から前記開放状態に移動する
ことを特徴とする声道模型。
【請求項２】
前記本体部材が前記開放状態において前記声道部に対して吊り下げられるように、前記声道部は、前記周面開口部の縁部に配設され、前記開放状態において前記動作本体部を保持する保持部材を有することを特徴とする請求項１に記載の声道模型。
【請求項３】
前記動作本体部は、前記口腔部の内部に対向する面部に配設され、前記口腔部として機能する前記声道部の一部の軸方向に沿って前記動作本体部を貫通して配設され、前記動作本体部の中心軸上に配設され、声道模型の高さ方向において窪んでいる動作溝部を有することを特徴とする請求項２に記載の声道模型。
【請求項４】
透明の部材によって囲まれることでＬ字型の中空部として形成される声道部と、
互いに対して整列して配設され個別に操作可能でかつ着色された複数の本体部材を有し、前記声道部に配設される舌本体ユニットと、
前記本体部材に配設され、前記本体部材を口腔部として機能する前記声道部の一部を塞ぐ閉塞状態から前記口腔部が開く開放状態に向かって付勢する付勢部材と
を具備し、
前記声道部は、前記口腔部として機能する前記声道部の一部の周面に配設され、前記声道部の内部と外部とに連通する周面開口部を有し、
前記本体部材は、
前記周面開口部を通じて前記閉塞状態と前記開放状態との間を往復するように個別に移動可能であり、
前記周面開口部を介して前記声道部の軸方向に直交する方向に沿って前記声道部の一部の内周面をスライド移動し、
前記本体部材が押圧されることによって前記開放状態から前記閉塞状態への移動を直接操作され、
前記本体部材の操作が解放された際、前記付勢部材の付勢力によって前記閉塞状態から前記開放状態に移動する
ことを特徴とする声道模型。
【請求項５】
前記本体部材が前記声道部に取り付けられた状態で前記開放状態が維持されるように、前記付勢力を規制する規制機構をさらに有することを特徴とする請求項４に記載の声道模型。
【請求項６】
前記周面開口部は、前記口腔部として機能する前記声道部の一部の上面と咽頭部として機能する前記声道部の他部の側面との少なくも一方に配設される、または前記口腔部として機能する前記声道部の一部の下面に配設されることを特徴とする請求項５に記載の声道模型。
【請求項７】
前記本体部材は、前記声道部の内部に対向する面部に配設され、前記声道部の一部の軸方向に沿って前記本体部材を貫通して配設され、前記本体部材の中心軸上に配設され、内部から離れる方向において窪んでいる動作溝部を有することを特徴とする請求項６に記載の声道模型。
【請求項８】
透明の部材によって囲まれることでＬ字型の中空部として形成される声道部と、
互いに対して整列して配設され個別に操作可能な複数の本体部材を有し、前記声道部に配設される舌本体ユニットと、
下唇として機能し、口腔部として機能する前記声道部の一部の端部に配設されている開口部に配設され、前記舌本体ユニットの前方に配設される下唇部材と
を具備し、
前記声道部は、前記口腔部として機能する前記声道部の一部の下面に配設され、前記声道部の内部と外部とに連通する周面開口部を有し、
前記下唇部材は、
着色され、
前記周面開口部を通じて、前記口腔部として機能する前記声道部の一部を塞ぐ閉塞状態と前記口腔部が開く開口状態との間を往復し、
前記周面開口部を介して声道模型の高さ方向に沿って前記口腔部として機能する前記声道部の一部の端部の内周面をスライド移動し、
前記開口状態から前記閉塞状態への前記下唇部材の移動を直接操作され、
前記下唇部材の操作が解放された際、自重によって前記閉塞状態から前記開口状態に移動する
ことを特徴とする声道模型。
【請求項９】
前記下唇部材は、前記下唇部材が前記開口状態において前記声道部に対して吊り下げられるように、前記声道部の端部に配設され、前記開口状態において前記下唇部材を保持する保持部材を有することを特徴とする請求項８に記載の声道模型。
【請求項１０】
前記下唇部材は、前記口腔部の内部に対向する面部に配設され、前記口腔部として機能する前記声道部の一部の軸方向に沿って前記下唇部材を貫通して配設され、前記下唇部材の中心軸上に配設され、声道模型の高さ方向において窪んでいる下唇溝部を有することを特徴とする請求項９に記載の声道模型。
【請求項１１】
前記下唇部材よりも後方に配設され、前記舌本体ユニットよりも前方に配設され、透明の部材によって形成され、前記声道部に着脱自在となるように前記声道部に固定される歯部材をさらに具備することを特徴とする請求項１０に記載の声道模型。
【請求項１２】
咽頭部として機能する前記声道部の他部に配設される舌根部をさらに具備することを特徴とする請求項１、４、８のいずれかに記載の声道模型。
【請求項１３】
前記舌根部は、透明の部材によって形成されることを特徴とする請求項１２に記載の声道模型。
【請求項１４】
前記舌根部は、前記声道部の他部の内周面に着脱自在に固定されていることを特徴とする請求項１３に記載の声道模型。
【発明の詳細な説明】
【技術分野】
【０００１】
本発明は、人の声道を模擬する声道模型に関する。
【背景技術】
【０００２】
近年、人の声道を模擬する声道模型が開発されている。声道模型は、言語学や音声科学などの基礎研究や、言語学習者のための応用言語学や、言語障がい者のための言語治療等の臨床応用や、発話ロボットなどの工学応用といった、様々な用途に用いられている。特に、基礎研究では、例えば、どのように音が作られるか、どのように音が聞こえるかを確認するために、声道模型が用いられる。応用言語学では、例えば、ある言語の母語話者にとって特定の音を獲得（習得）することが遅く、ある言語を学ぶ学習者にとっても特定の音の獲得（習得）が遅いため、発音や聴取の訓練に声道模型が今後用いられる可能性もある。
【０００３】
声道模型の一例として、例えば特許文献１が開示されており、開示されている声道模型はシンプルな構成となっている。
【０００４】
また別のタイプの声道模型は、舌に相当する舌部材を有している。舌部材はウレタンなどの柔軟性を有しているため、音を生成する際における調音（構音）のための自由度が高くなっている。
【先行技術文献】
【特許文献】
【０００５】
【特許文献１】特開２００８−１１６４９８号公報
【発明の概要】
【発明が解決しようとする課題】
【０００６】
特許文献１に開示される声道模型において、この模型からでは頭部内に配置される声道をイメージすることは容易ではない。  
また別のタイプの声道模型において、舌部材等の操作が簡単ではなく、目的の音を生成しづらい。  
特に声道模型が例えば音響音声学や音声科学を学ぶ学習者が音声の生成理論を学ぶための音響教育応用や言語学習者のための言語教育（応用言語学）や言語障がい者のための言語治療（臨床応用）に用いられる場合、シンプルな構成で、声道を容易にイメージでき、操作が簡単で、目的とする音の生成及び確認と舌の形状とを操作に伴い簡単に確認できることが求められている。
【０００７】
本発明は、これらの事情に鑑みてなされたものであり、シンプルな構成で、声道を容易にイメージでき、操作が簡単で、目的とする音を生成しやすく、目的とする音の生成及び確認と舌の形状とを操作に伴い簡単に確認できる声道模型を提供することを目的とする。
【課題を解決するための手段】
【０００８】
本発明の声道模型の一態様は、透明の部材によって囲まれることでＬ字型の中空部として形成される声道部と、互いに対して整列して配設され個別に操作可能でかつ着色された複数の本体部材を有し前記声道部に配設される舌本体ユニットと、を具備する。前記声道部は、口腔部として機能する前記声道部の一部の下面に配設され、前記声道部の内部と外部とに連通する周面開口部を有する。前記本体部材は、動作本体部と、操作部とを有する。動作本体部は、前記周面開口部を通じて前記口腔部として機能する前記声道部の一部を塞ぐ閉塞状態と前記口腔部が開く開放状態との間を往復するように個別に移動可能であり、かつ前記周面開口部を介して前記声道部の軸方向と直交する方向に沿って前記口腔部として機能する前記声道部の一部の内周面をスライド移動する。前記操作部は、前記閉塞状態において前記声道部の内部に収納され、前記開放状態において前記周面開口部を通じて前記声道部の外部に露出し、前記動作本体部と一体で、前記動作本体部を含む前記本体部材の移動を操作する。さらに前記操作部は、前記開放状態から前記閉塞状態への前記本体部材の移動を直接操作し、前記本体部材は、前記操作部の操作が解放された際、自重によって前記閉塞状態から前記開放状態に移動することを特徴とする。
【発明の効果】
【０００９】
本発明によれば、シンプルな構成で、声道を容易にイメージでき、操作が簡単で、目的とする音を生成しやすく、目的とする音の生成及び確認と舌の形状とを操作に伴い簡単に確認できる声道模型を提供することができる。
【図面の簡単な説明】
【００１０】
【図１Ａ】図１Ａは、本発明の第１の実施形態に係る声道模型を示し、開口状態及び開放状態における模型の概略斜視図である。
【図１Ｂ】図１Ｂは、閉塞状態における模型の概略斜視図である。
【図２Ａ】図２Ａは、図１Ａに示す模型の概略側面図である。
【図２Ｂ】図２Ｂは、開口状態における下唇部材の正面図である。
【図２Ｃ】図２Ｃは、閉塞状態における下唇部材の正面図である。
【図２Ｄ】図２Ｄは、開放状態における本体部材の正面図である。
【図２Ｅ】図２Ｅは、閉塞状態における本体部材の正面図である。
【図３Ａ】図３Ａは、「後舌母音に分類される母音「ａ」」を生成する模型の概略側面図である。
【図３Ｂ】図３Ｂは、「bunched／r／（盛り舌によるｒ音）」を生成する模型の概略側面図である。
【図３Ｃ】図３Ｃは、「後舌母音に分類される母音「ｏ」」を生成する模型の概略側面図である。
【図４Ａ】図４Ａは、「中性母音である「シュワ」」を生成する模型の概略側面図である。
【図４Ｂ】図４Ｂは、「前舌母音に分類される母音「ｉ」」を生成する模型の概略側面図である。
【図４Ｃ】図４Ｃは、「前舌母音に分類される母音「ｅ」」を生成する模型の概略側面図である。
【図５】図５は、本発明の第２の実施形態に係る声道模型を示し、開口状態及び開放状態における模型の概略斜視図である。
【図６Ａ】図６Ａは、図５に示す模型の概略側面図である。
【図６Ｂ】図６Ｂは、口腔部における閉塞状態の模型の概略側面図である。
【図６Ｃ】図６Ｃは、咽頭部における閉塞状態の模型の概略側面図である。
【発明を実施するための形態】
【００１１】
以下、図面を参照して本発明の実施形態について詳細に説明する。  
［第１の実施形態］  
［構成］  
図１Ａと図１Ｂと図２Ａと図２Ｂと図２Ｃと図２Ｄと図２Ｅとを参照して第１の実施形態について説明する。なお一部の図面では、図示の明瞭化のために、一部の部材の図示を省略している。  
以下において声道模型１０の高さ方向をＺ方向または上下方向と称し、声道模型１０の幅方向をＸ方向または左右方向と称し、声道模型１０の長さ方向をＹ方向または前後方向と称する。Ｚ方向とＹ方向とＸ方向とは、互いに直交している。
【００１２】
［声道模型１０（以下、模型１０と称する）］  
図１Ａと図１Ｂとに示すような模型１０は、例えば、音響音声学や音声科学を学ぶ学習者が音声の生成理論を学ぶための音響教育応用や言語学習者のための言語教育（応用言語学）や言語障がい者のための言語治療（臨床応用）に用いられる。
【００１３】
本実施形態の模型１０は、定常母音、例えば「後舌母音」を生成可能である。「後舌母音」は、例えば、「ａ」や「ｏ」である。模型１０は、定常母音だけでなく、子音の一部を生成可能である。この子音は例えば日本語母語話者にとって習得が難しい英語の／ｒ／音であり、模型１０はこのような子音を生成可能である。具体的には、模型１０は、例えば、「bunched／r／（盛り舌によるｒ音）」を生成可能である。模型１０は、例えば、子音に分類される接近音（approximant）と呼ばれる音を生成する。接近音は、例えば、英語の前記した「ｒ」や、「ｌ」や「ｗ」や「ｙ」などの音を含む。
【００１４】
図１Ａと図１Ｂと図２Ａとに示すように、模型１０は、Ｌ字の筒形状を有している。これに伴い模型１０は、模型１０の内部（中空部）として機能するＬ字型の声道部３０を有することとなる。このような模型１０は、複数の薄い平板部材によって囲まれることで形成される。平板部材は、声道部３０が模型１０の外部から可視できるように、例えば、透明アクリルなどの透明の部材によって形成されている。このように模型１０は、透明の部材によって囲まれることでＬ字型の中空部として形成される声道部３０を有することとなる。
【００１５】
図１Ａと図１Ｂと図２Ａとに示すように、声道部３０は、Ｌ字の一辺を形成し、Ｚ方向に沿って配設されている咽頭部３１と、Ｌ字の他辺を形成し、Ｙ方向に沿って配設されている口腔部３３とを有している。咽頭部３１の一方は下方にて開口しており、咽頭部３１の他方は口腔部３３の一方と連通している。口腔部３３の他方は、前方に向かって開口しており、開口部３３ａが形成されている。口腔部３３は声道部３０の一部となり、咽頭部３１は声道部３０の他部となる。開口部３３ａは、口腔部３３として機能する声道部３０の一部の端部に配設される。
【００１６】
図１Ａと図１Ｂと図２Ａとに示すように、咽頭部３１は、前記した透明な平板部材である前面板２１ａとＬ字形状の左側面板２３ａの一部とＬ字形状の右側面板２３ｂの一部と背面板２３ｃの一部と底面板２１ｄとによって形成されている。咽頭部３１は平板部材によって筒状に形成され、咽頭部３１の内部は中空となっている。  
図１Ａと図１Ｂと図２Ａと図２Ｂと図２Ｄとに示すように、口腔部３３は、前記した透明な平板部材である上面板２５ａとＬ字形状の左側面板２３ａの他部と右側面板２３ｂの他部と背面板２３ｃの他部と、Ｚ方向に沿って配設されている棒状の１対の保持部材２５ｅとによって形成されている。上面板２５ａは、口蓋として機能する。一方の保持部材２５ｅは左側面板２３ａに固定されており、他方の保持部材２５ｅは右側面板２３ｂに固定されている。図２Ａに示すように、Ｙ方向及び口腔部３３において、保持部材２５ｅは、左側面板２３ａと右側面板２３ｂとよりも短い。この短い分の長さは、例えば、後述する下唇部材６０の厚みと歯部材７０の厚みとの和である。
【００１７】
図２Ｂと図２Ｄとに示すように、口腔部３３は、前記した平板部材と保持部材２５ｅとによって、前方及び下方が開口している略Ｕ字型の長溝部として形成される。言い換えると、声道部３０は、口腔部３３として機能する声道部３０の一部の周面に配設され、声道部３０の内部と外部とに連通する周面開口部３３ｂを有することとなる。本実施形態では、周面開口部３３ｂは、例えば、口腔部３３として機能する声道部３０の一部の下面に配設されることとなる。周面開口部３３ｂは、Ｘ方向における保持部材２５ｅ同士の間の空間部や、この空間部の前方かつ上面板２５ａの下方における空間部を示す。図２Ｂと図２Ｃと図２Ｄと図２Ｅとに示すように、周面開口部３３ｂは、後述する下唇部材６０や本体部材８１が周面開口部３３ｂを通じて閉塞状態と開放状態（開口状態）との間を往復するために、配設されている。
【００１８】
なお図１Ａに示すように、後述する下唇部材６０と歯部材７０と本体部材８１とが模型１０に取り付けられる。この状態では、図１Ａと図２Ｂと図２Ｃと図２Ｄと図２Ｅとに示すように、口腔部３３は、前記した平板部材と保持部材２５ｅと下唇部材６０と本体部材８１と後述する歯部材７０とによって筒形状に形成される。
【００１９】
図２Ａに示すように、口腔部３３において、前面板２１ａは、後述する動作本体部８３ａの高さ分だけ口腔部３３に向かって突出している。
図１Ａと図１Ｂと図２Ａとに示すように、模型１０は、模型１０が例えば図示しない台などに対して倒れずに載置され、咽頭部３１（模型１０におけるＬ字の一辺）が台に対して立設し、口腔部３３（模型１０におけるＬ字の他辺）が台の平面に対して平行となるように、咽頭部３１（模型１０のＬ字の一辺）の底部に配設されているＬ字形状の台座部４０を有している。台座部４０は、例えば、透明アクリルなどの部材によって形成されている。台座部４０は、平板状の前面板４１ａ及び底面板４１ｂを有している。底面板４１ｂは、底面板２１ｄに対して平行に配設され、台に載置される。前面板４１ａは、底面板２１ｄと底面板４１ｂと対して立設されるように、底面板２１ｄと底面板４１ｂとに固定されている。前面板４１ａは、前面板４１ａと背面板２３ｃとによって咽頭部３１における狭窄部３１ａを形成するように、前面板２１ａよりも背面板２３ｃ側に配設されている。狭窄部３１ａは、底面板２１ｄの図示しない開口部を介して咽頭部３１と連通している。  
前記した各板は、例えばねじなどによって互いに対して取り外し可能に連結されている。
図１Ａと図１Ｂと図２Ａとに示すように、模型１０は、舌の一部として機能する舌根部５０と、例えば下唇として機能する下唇部材６０とを有している。模型１０は、例えば下歯として機能する歯部材７０と、口腔部３３として機能する声道部３０の一部に配設され、舌の他部として機能する舌本体ユニット８０とをさらに有している。舌根部５０は咽頭部３１に配設され、下唇部材６０と歯部材７０とは口腔部３３に配設されている。上唇として機能する部材は、本実施形態では省略されている。
【００２０】
［舌根部５０］  
図１Ａと図１Ｂと図２Ａとに示すように、舌根部５０は、前面板２１ａと左側面板２３ａの一部と右側面板２３ｂの一部と背面板２３ｃの一部とに密着するように咽頭部３１に着脱自在に固定され、接近音を生成する際に配設される。舌根部５０が配設されるため、咽頭部３１は細く開くこととなる。図１Ａと図１Ｂと図２Ａとに示すように、舌根部５０は、底面板２１ｄに対して浮いている。舌根部５０は、例えば直方体形状を有している。舌根部５０は、例えば、舌根部５０が模型１０の外部から可視できるように、例えば、透明アクリルなどの透明の部材によって形成されている。図２Ａに示すように舌根部５０は、Ｚ方向に沿って配設され、狭窄部３１ａと連通する溝部５１を有している。溝部５１は、背面板２３ｃによって覆われる。溝部５１は、咽頭腔部として機能する。
【００２１】
［下唇部材６０］  
図１Ａと図１Ｂと図２Ａとに示すように、下唇部材６０は、開口部３３ａに配設されている。下唇部材６０は、Ｙ方向において、歯部材７０と舌本体ユニット８０と保持部材２５ｅとの前方に配設されている。この前方は、狭窄部３１ａから開口部３３ａに向かって音が出力される側を示す。
【００２２】
図２Ｂと図２Ｃとに示すように、下唇部材６０は、例えば矩形形状及び平板形状を有するブロック部材として機能する。下唇部材６０は、下唇部材６０の後述する状態及び動作が模型１０の外部から判別できるように、透明ではなく、着色されている。下唇部材６０は、例えば、プラスチックやアクリルなどによって形成されている。
【００２３】
下唇部材６０は、下唇部材６０が開口部３３ａを塞ぐ閉塞状態（図１Ｂと図２Ｃ参照）と開口部３３ａが開く開口状態（図１Ａと図２Ｂ参照）との間を下唇部材６０が往復するように、直接操作されることによって例えばＺ方向に沿って移動可能である。詳細には、図２Ｂと図２Ｃとに示すように、下唇部材６０は、周面開口部３３ｂを通じて閉塞状態と開口状態との間を往復する。そして前記往復において、下唇部材６０は、周面開口部３３ｂを介して模型１０の高さ方向に沿って口腔部３３として機能する声道部３０の一部の内周面をスライド移動する。
【００２４】
図２Ｂと図２Ｃとに示すように、下唇部材６０は、上方部６０ａと下方部６０ｂとを有している。上方部６０ａは、閉塞状態と開口状態とにおいて口腔部３３の内部に配設される。上方部６０ａは、閉塞状態と開口状態との間を往復する。下方部６０ｂは、閉塞状態において口腔部３３の内部に収納され、開口状態において周面開口部３３ｂを通じて声道部３０の外部に露出する。下方部６０ｂは、上方部６０ａと一体で、上方部６０ａを含む下唇部材６０の移動を操作する。下唇部材６０は、開口状態から閉塞状態への下唇部材６０の移動を下方部６０ｂにおいて直接操作される。下唇部材６０は、下方部６０ｂの操作が解放された際、自重によって閉塞状態から開口状態に移動する。このように下唇部材６０の下方部６０ｂは、前記したスライド動作時において、下唇部材６０を直接操作する操作部として機能する。下唇部材６０の上方部６０ａは、下唇部材６０の動作部として機能する。
【００２５】
なお図２Ｂと図２Ｃとに示すように、下方部６０ｂの高さは、上方部６０ａが上面板２５ａに当接した（開口部３３ａが閉塞状態に切り替わった）際に、下方部６０ｂの端部が右側面板２３ｂの下端部と同じ高さ位置となるように、予め規定されている。図２Ｂに示す開口状態において口腔部３３に収納されている上方部６０ａは、開口状態では、前記した下方部６０ｂの高さだけ上面板２５ａから離れていることとなる。図２Ａに示すように、開口状態において口腔部３３に収納されている上方部６０ａの高さ位置は、開口状態では、前面板２１ａの上端部の高さ位置と略同一である。
【００２６】
図２Ｂと図２Ｃとに示すように、Ｘ方向において、下唇部材６０の幅は、左側面板２３ａと右側面板２３ｂとの間の距離と略同一である。下唇部材６０と左側面板２３ａとの間と、下唇部材６０と右側面板２３ｂとの間とに微小な隙間部が配設されることによって、隙間部から音が漏れないように、下唇部材６０は左側面板２３ａと右側面板２３ｂとに対して当接している。この状態で前記移動において、下唇部材６０は、Ｚ方向に沿って左側面板２３ａと右側面板２３ｂと歯部材７０とをスライド可能となっている。
【００２７】
図２Ｂと図２Ｃとに示すように、下唇部材６０は、スライド動作のために、例えば下唇部材６０の両側面部に配設されている側面溝部６１を有している。側面溝部６１は、Ｚ方向に沿って配設されている。例えばネジなどの一方の保持部材９１がＸ方向に沿って左側面板２３ａを貫通して下唇部材６０の左側面部の側面溝部６１に挿入され、他方の保持部材９１がＸ方向に沿って右側面板２３ｂを貫通して下唇部材６０の右側面部の側面溝部６１に挿入されることによって、下唇部材６０は口腔部３３の端部にて支持される。言い換えると、下唇部材６０が左側面板２３ａと右側面板２３ｂとに対して着脱自在となるように、下唇部材６０は、下唇部材６０の両側面部から左側面板２３ａと右側面板２３ｂとに保持部材９１によって取り付けられている。なお保持部材９１は、左側面板２３ａと右側面板２３ｂとに位置決め固定されている。
【００２８】
図１Ａと図２Ｂに示すように、開口状態において、側面溝部６１が下唇部材６０の自重によってＺ方向において保持部材９１に保持される（引っ掛かる）ために、下唇部材６０は開口部３３ａに対して側面溝部６１によって保持部材２５ｅに吊り下げられた状態となる。言い換えると、下唇部材６０が開口状態において声道部３０に対して吊り下げられるように、声道部３０は、声道部３０の端部に配設され、開口状態において下唇部材６０を保持する保持部材９１を有することとなる。下唇部材６０が保持部材９１に吊り下げられた状態は、前記した開口状態であり、下唇部材６０が下唇部材６０の初期位置に静止している状態であり、下唇部材６０が保持部材９１に載置されている状態を示す。下唇部材６０は、開口状態（初期位置における配置）を、自重によって維持される。
【００２９】
下唇部材６０は、前記したスライド移動や自重を考慮して、所望する耐摩耗性と所望する重さを有する部材によって形成されていればよい。
【００３０】
図１Ａと図２Ｂとに示すように、下唇部材６０は、口腔部３３の内部に対向する面部に配設され、口腔部３３として機能する声道部３０の一部の軸方向であるＹ方向に沿って下唇部材６０を貫通して配設され、下唇部材６０の中心軸上に配設されている下唇溝部６３を有している。本実施形態では、口腔部３３の内部に対向する面部とは、下唇部材６０の上面部を示す。下唇溝部６３は、Ｚ方向において窪んでおり、上面板２５ａに対して開口している。
【００３１】
［歯部材７０］  
図１Ａと図２Ａとに示すように、歯部材７０は、Ｙ方向において、下唇部材６０よりも後方に配設され、舌本体ユニット８０よりも前方に配設されている。後方は、前方とは逆側を示す。歯部材７０は、Ｙ方向において、下唇部材６０と舌本体ユニット８０との間に介在し、下唇部材６０と舌本体ユニット８０とに当接するように隣り合っている。歯部材７０は、下唇部材６０と舌本体ユニット８０とを仕切る壁部として機能する。
【００３２】
歯部材７０は、例えば矩形形状及び平板形状を有するブロック部材として機能する。歯部材７０は、例えば歯部材７０が下唇部材６０と舌本体ユニット８０とに対して視覚的に見分けがつくように、例えば、着色されたアクリルなどの透明の部材によって形成されている。歯部材７０は、例えば黒に着色される。
【００３３】
図１Ａに示すように、歯部材７０は、口腔部３３に収納されている。歯部材７０は、声道部３０に着脱自在となるように声道部３０に固定される。このため例えば、歯部材７０は、左側面板２３ａと右側面板２３ｂとに対して着脱自在となるように、例えばネジなどの固定部材９３によって左側面板２３ａと右側面板２３ｂとから歯部材７０の両側面部に固定されている。歯部材７０の厚みと幅とは、下唇部材６０の厚みと幅と略同一である。歯部材７０の高さ位置は、開口状態（開放状態）において口腔部３３に収納されている下唇部材６０の上方部６０ａの高さ位置と略同一である。
歯部材７０は、上歯として機能するために、口腔部３３における上面板２５ａに配設されてもよい。歯部材７０は、上面板２５ａに着脱自在となるように、例えば図示しないネジなどの固定部材によって上面板２５ａに固定される。つまり歯部材７０は、上面板２５ａから口腔部３３に向かって吊り下げられるように、上面板２５ａに取り付けられる。上歯として機能する歯部材７０は、下歯として機能する歯部材７０に対して、Ｚ方向において離れて配設される。
【００３４】
［舌本体ユニット８０］  
図１Ａと図１Ｂと図２Ａとに示すように、舌本体ユニット８０は、Ｙ方向に沿って互いに対して整列して配設され個別に操作可能な複数の本体部材８１を有している。本体部材８１同士は、互いに対して別体となっている。本実施形態では、本体部材８１の数は、５となっているが、特に限定されない。本体部材８１は、舌の上面として機能する。
【００３５】
図１Ａと図１Ｂと図２Ａとに示すように、本体部材８１は、Ｙ方向において、前面板２１ａと歯部材７０との間に配設されている。最も前方に配設されている本体部材８１は歯部材７０と当接するように隣り合い、最も後方に配設されている本体部材８１は前面板２１ａの上端部と当接するように隣り合っている。本体部材８１同士は、互いに対して直接当接するように隣り合っており、Ｙ方向に沿って連続して配設されている。本体部材８１と左側面板２３ａとの間と、本体部材８１と右側面板２３ｂとの間と、本体部材８１同士の間と、本体部材８１と歯部材７０の間と、本体部材８１と前面板２１ａの上端部との間とに微小な隙間部が配設されることによって、隙間部から音が漏れないように、前記配置において互いに対して当接している。  
なお前記した配設は、特に限定されない。例えば、本体部材８１と歯部材７０との間に例えば透明な部材が介在していてもよいし、本体部材８１と前面板２１ａとの間に例えば透明な部材が介在していてもよいし、本体部材８１同士の間に例えば透明な部材が介在し、本体部材８１は非連続に配設されていてもよい。
【００３６】
本実施形態では、例えば各本体部材８１の形状とサイズとは、全て互いに対して同一となっている。
【００３７】
図２Ｄと図２Ｅとに示すように、本体部材８１は、例えばＴ字形状及び平板形状を有するブロック部材として機能する。本体部材８１は、本体部材８１の後述する状態及び動作が模型１０の外部から判別できるように、透明ではなく、着色されている。本体部材８１は、例えば、プラスチックなどによって形成されている。
【００３８】
本体部材８１は、本体部材８１が口腔部３３を塞ぐ閉塞状態（図１Ｂと図２Ｅ参照）と、口腔部３３が開く開放状態（図１Ａと図２Ｄ参照）との間を本体部材８１が往復するように、例えばＺ方向に沿って個別に移動可能である。詳細には、図２Ｄと図２Ｅとに示すように、本体部材８１は、周面開口部３３ｂを通じて閉塞状態と開放状態との間を往復する。そして前記往復において、本体部材８１は、模型１０の高さ方向に沿って口腔部３３として機能する声道部３０の一部の内周面をスライド移動する。ここでいう高さ方向は、声道部３０の口腔部３３の軸方向（Ｙ方向）に直交する方向となる。
【００３９】
図２Ｄと図２Ｅとに示すように、本体部材８１は、動作本体部８３ａと操作部８３ｂとを有している。動作本体部８３ａは、閉塞状態と開放状態とにおいて声道部３０の内部に配設される。動作本体部８３ａは、閉塞状態と開放状態との間を往復する。操作部８３ｂは、閉塞状態において声道部３０の内部に収納され、開放状態において周面開口部３３ｂを通じて声道部３０の外部に露出する。操作部８３ｂは、動作本体部８３ａと一体で、動作本体部８３ａを含む本体部材８１の移動を操作する。操作部８３ｂは、開放状態から閉塞状態への本体部材８１の移動を直接操作する。本体部材８１は、操作部８３ｂの操作が解放された際、自重によって閉塞状態から開放状態に移動する。
【００４０】
図２Ｄと図２Ｅとに示すように、Ｔ字形状の本体部材８１において、動作本体部８３ａは、Ｘ方向に沿って配設され、幅が太い太幅部として機能する。Ｔ字形状の本体部材８１において、操作部８３ｂは、Ｚ方向に沿って配設され、動作本体部８３ａよりも幅が細い細幅部として機能する。
【００４１】
動作本体部８３ａの厚みと幅とは、下唇部材６０の厚みと幅（左側面板２３ａと右側面板２３ｂとの間の距離）と略同一である。操作部８３ｂの厚みは下唇部材６０の厚みと略同一であり、操作部８３ｂの幅は下唇部材６０の幅よりも小さい。動作本体部８３ａの高さと操作部８３ｂの高さの和である本体部材８１の高さは、下唇部材６０の高さと略同一である。動作本体部８３ａの高さは、下唇部材６０の上方部６０ａの高さと略同一である。操作部８３ｂの高さは、下唇部材６０の下方部６０ｂの高さと略同一である。
【００４２】
なお図２Ｄと図２Ｅとに示すように、操作部８３ｂの高さは、動作本体部８３ａが上面板２５ａに当接した（口腔部３３が閉塞状態に切り替わった）際に、操作部８３ｂの下端部が保持部材２５ｅ（右側面板２３ｂの下端部）と同じ高さ位置となるように、予め規定されている。図２Ｄに示す開放状態において口腔部３３に収納されている動作本体部８３ａは、開放状態では、前記した操作部８３ｂの高さだけ上面板２５ａから離れていることとなる。図２Ａに示すように、開放状態において口腔部３３に収納されている動作本体部８３ａの上端部の高さ位置は、開放状態では、前面板２１ａの上端部の高さ位置と略同一である。
【００４３】
図２Ｄと図２Ｅとに示すように、Ｘ方向において、動作本体部８３ａの幅は、左側面板２３ａと右側面板２３ｂとの間の距離と略同一である。このため前記移動において、本体部材８１は、Ｚ方向に沿って左側面板２３ａと右側面板２３ｂと本体部材８１とをスライド可能となっている。なお最も前方に配設されている本体部材８１は歯部材７０をさらにスライドし、最も後方に配設されている本体部材８１は前面板２１ａの上端部をさらにスライドする。
【００４４】
本体部材８１は個別に操作可能であるため、前記スライドは本体部材８１毎に実施される。
【００４５】
図１Ａと図２Ｄとに示すように、開放状態において、動作本体部８３ａの両端部が本体部材８１の自重によってＺ方向において保持部材２５ｅに保持される（引っ掛かる）ために、本体部材８１は口腔部３３に対して動作本体部８３ａによって保持部材２５ｅに吊り下げられた状態となる。言い換えると、本体部材８１が開放状態において声道部３０に対して吊り下げられるように、声道部３０は、周面開口部３３ｂの縁部に配設され、開放状態において動作本体部８３ａを保持する保持部材２５ｅを有することとなる。本体部材８１が保持部材２５ｅに吊り下げられた状態は、前記した開放状態であり、本体部材８１が本体部材８１の初期位置に静止している状態であり、本体部材８１が保持部材２５ｅに載置されている状態を示す。本体部材８１は、開放状態（初期位置における配置）を、自重によって維持される。
【００４６】
本体部材８１は、前記したスライド移動や自重を考慮して、所望する耐摩耗性と所望する重さを有する部材によって形成されていればよい。
【００４７】
図１Ａと図２Ｄとに示すように、動作本体部８３ａは、口腔部３３の内部に対向する面部に配設され、口腔部３３として機能する声道部３０の一部の軸方向であるＹ方向に沿って動作本体部８３ａを貫通して配設され、動作本体部８３ａの中心軸上に配設されている動作溝部８５を有している。本実施形態では、口腔部３３の内部に対向する面部とは、動作本体部８３ａの上面部を示す。動作溝部８５は、Ｚ方向において窪んでおり、上面板２５ａに対して開放している。図１Ａに示すように、動作溝部８５は、下唇溝部６３と同一直線上に配設されている。動作溝部８５は、下唇溝部６３と同じ形状及び同じサイズを有している。
【００４８】
［下唇部材６０の動作（図１Ａと図１Ｂと図２Ｂと図２Ｃとを参照）］  
下唇部材６０が直接把持または指などに接触され、下唇部材６０が上面板２５ａに向かって移動するように下唇部材６０が直接操作される（持ち上げられる／上方に向かって押圧される）と、側面溝部６１がＺ方向に沿って上面板２５ａに向かって保持部材９１をスライドする。このとき、側面溝部６１は、保持部材９１によってガイドされる。前記に伴い、下唇部材６０がＺ方向に沿って上面板２５ａに向かって下唇部材６０の周辺に配設されている周辺部材（例えば左側面板２３ａや右側面板２３ｂや歯部材７０等）をスライドする。このとき、下唇部材６０は、周辺部材によってガイドされる。下唇部材６０が上昇し、下唇部材６０が上面板２５ａに当接すると、開口部３３ａは閉塞状態に切り替わる。
【００４９】
下唇部材６０の操作が解放される（指が下唇部材６０から離れる）と、下唇部材６０は、下唇部材６０の自重によって、下降する。そして、側面溝部６１がＺ方向に沿って下方に向かって保持部材９１をスライドする。このとき、側面溝部６１は、保持部材９１によってガイドされる。前記に伴い、下唇部材６０がＺ方向に沿って下方に向かって周辺部材をスライドする。このとき、下唇部材６０は、周辺部材によってガイドされる。保持部材９１が側面溝部６１の上端部に当接すると、下唇部材６０は、前記した吊り下げられた状態となる。そして、開口部３３ａは、開口状態に切り替わる。このように下唇部材６０は、自重によって初期位置に戻る。
【００５０】
［本体部材８１の動作（図１Ａと図１Ｂと図２Ｄと図２Ｅとを参照）］  
操作部８３ｂが直接把持または指などに接触され、本体部材８１が上面板２５ａに向かって移動するように操作部８３ｂが直接操作される（持ち上げられる／上方に向かって押圧される）と、本体部材８１の動作本体部８３ａがＺ方向に沿って上面板２５ａに向かって本体部材８１の周辺に配設されている周辺部材（例えば左側面板２３ａや右側面板２３ｂや本体部材８１等）をスライドする。このとき、動作本体部８３ａは、周辺部材によってガイドされる。本体部材８１が上昇し、動作本体部８３ａが上面板２５ａに当接すると、口腔部３３は閉塞状態に切り替わる。
【００５１】
操作部８３ｂの操作が解放される（指が本体部材８１から離れる）と、本体部材８１は、本体部材８１の自重によって、下降する。そして、本体部材８１の動作本体部８３ａがＺ方向に沿って下方に向かって本体部材８１の周辺に配設されている周辺部材（例えば左側面板２３ａや右側面板２３ｂや本体部材８１等）をスライドする。このとき、動作本体部８３ａは、周辺部材によってガイドされる。動作本体部８３ａの両端部が保持部材２５ｅに当接すると、本体部材８１は、前記した吊り下げられた状態となる。そして、口腔部３３は、開放状態に切り替わる。このように本体部材８１は、自重によって初期位置に戻る。
【００５２】
［「後舌母音に分類される母音「ａ」」と「bunched／r／（盛り舌によるｒ音）」との生成について］  
「後舌母音に分類される母音「ａ」」と「bunched／r／（盛り舌によるｒ音）」とが生成される場合について説明する。  
ここで、図２Ａに示すように、本体部材８１を、Ｙ方向において、歯部材７０から咽頭部３１に向かって本体部材８１ａ，８１ｂ，８１ｃ，８１ｄ，８１ｅと称する。  
「bunched／r／（盛り舌によるｒ音）」が生成される場合、例えば、下唇部材６０と本体部材８１ｄ，８１ｅとが用いられる。
【００５３】
図３Ａに示す開口部３３ａの開口状態と口腔部３３の開放状態（下唇部材６０と全ての本体部材８１が吊り下げられている状態）とにおいて、声道部３０の形状によって、模型１０は「後舌母音に分類される母音「ａ」」を生成可能となっている。  
この状態から、模型１０が操作者によって把持され、図３Ｂに示すように下唇部材６０と本体部材８１ｄ，８１ｅとが上昇するように操作者に同時に操作される（持ち上げられる）と、開口部３３ａと口腔部３３とは開口状態（開放状態）から閉塞状態に切り替わる。図３Ｂに示す声道部３０の形状によって、模型１０は「bunched／r／（盛り舌によるｒ音）」を生成可能となっている。  
下唇部材６０と本体部材８１ｄ，８１ｅとの操作が同時に解放されると、図３Ａに示すように下唇部材６０と本体部材８１ｄ，８１ｅとは自重によって同時に下降し、開口部３３ａと口腔部３３とは閉塞状態から開口状態（開放状態）に切り替わる。  
前記において、下唇部材６０と２つの本体部材８１ｄ，８１ｅとが一体的に往復動作する。
【００５４】
前記した図３Ａに示す開口（開放）状態、図３Ｂに示す閉塞状態、図３Ａに示す開口（開放）状態といった一連の往復動作によって調音（構音）が実施され、模型１０は「ａｒａ」（ただしｒはbunched／r／、すなわち盛り舌によるｒ音）という音を生成可能となる。
一連の往復動作によって調音（構音）が実施された状態で操作者の操作によって例えば気流が声道部３０を咽頭部３１の底から詳細には狭窄部３１ａと舌根部５０の溝部５１と動作溝部８５と下唇溝部６３とを介して口腔部３３の開口部３３ａに向かうように流れることによって、模型１０は「ａｒａ」（ただしｒはbunched／r／、すなわち盛り舌によるｒ音）という音を生成可能となる。
【００５５】
なお図３Ｃに示すように、下唇部材６０のみが上昇するように操作者に操作される（持ち上げられる）と、開口部３３ａは開口状態から閉塞状態に切り替わる。このとき口腔部３３は開放状態（全ての本体部材８１が吊り下げられている状態）である。図３Ｃに示す声道部３０の形状によって、模型１０は「後舌母音に分類される母音「ｏ」」を生成可能となっている。  
図３Ａに示す開口（開放）状態、図３Ｃに示す閉塞状態、図３Ａに示す開口（開放）状態といった一連の往復動作によって調音（構音）が実施され、模型１０は「ａｏａ」を生成可能となる。そして、模型１０は、「ａｏａ」を発声可能となる。
【００５６】
図３Ｃに示す閉塞状態では、下唇部材６０が上面板２５ａに当接して開口部３３ａは完全に閉塞されていてもよいし、下唇部材６０が上面板２５ａに当接せず上面板２５ａに近接し開口部３３ａはほぼ閉塞されていてもよい。
【００５７】
［動作のまとめ］  
前記動作において、模型１０の平板部材が透明の部材によって形成されているため、声道部３０が模型１０の外部から可視される。よって、操作者や、操作者によって操作される模型１０を観察する観察者は、声道部３０を容易にイメージすることとなる。  
本体部材８１が持ち上げられるといった簡単な操作で、調音（構音）が実施され、目的とする音である「ａｒａ」（ただしｒはbunched／r／、すなわち盛り舌によるｒ音）や「ａｏａ」を生成可能となる。
この模型１０が例えば音響音声学や音声科学を学ぶ学習者が音声の生成理論を学ぶための音響教育応用や言語教育や言語治療に用いられる場合、言語教育における教師や学生・生徒、言語治療における治療者や患者といった使用者にとって、模型１０はシンプルな構成となっており、声道部３０は容易にイメージ可能となる。また利用者とって、前記したように操作は簡単で、調音（構音）が実施され、この状態で目的とする音である「ａｒａ」（ただしｒはbunched／r／、すなわち盛り舌によるｒ音）や「ａｏａ」を生成しやすくなっている。そして利用者に対して、目的とする音である「ａｒａ」（ただしｒはbunched／r／、すなわち盛り舌によるｒ音）「ａｏａ」の生成及び耳による確認と舌本体ユニット８０の形状とを操作に伴い簡単に確認させることになる。
【００５８】
特に、本体部材８１は自重によって初期位置に素早く戻るために、操作者は本体部材８１を持ち上げることに専念することとなる。このように操作は、簡単となっている。本体部材８１はプラスチックであり軽いため、素早く持ち上がり、口腔部３３は素早く閉塞状態に切り替わる。この持ち上がりと自重による戻りが素早く実施されるために、目的とする音が明瞭且つ容易に生成される。
【００５９】
［効果］  
このように本実施形態では、シンプルな構成で、声道を容易にイメージでき、操作が簡単で、目的とする音を生成しやすく、目的とする音の生成及び確認と舌本体ユニット８０の形状とを操作に伴い簡単に確認できる模型１０を提供できる。
【００６０】
本実施形態では、模型１０の平板部材が透明の部材によって形成され、舌本体ユニット８０の本体部材８１は着色されている。このため本実施形態では、舌本体ユニット８０の本体部材８１の動きを視覚的に様々な位置から容易に確認できる。そして、本実施形態では、音の生成に伴う舌本体ユニット８０の動きを確認でき、舌本体ユニット８０の動きに伴って生成される音を確認でき、舌本体ユニット８０の動きと音の変化との直接的な関係を簡単に確認できる。
【００６１】
本実施形態では、本体部材８１が直接操作されるために、音を聞きながらリアルタイムで体験でき、使用者に興味を沸かせることができる。本実施形態では、パソコンにおけるシミュレーションを基に音を生成するようなタイプではなく、模型１０を操作することによって音を生成するタイプである。よって本実施形態では、例えばデモンストレーションにおいて観察者に確実に興味を沸かせることができ、使用者自らに手動で簡単に体験させることができる。本実施形態では、声道部３０の形状は平板部材によって規定されているため、誰が操作しても常に一定の音質の音を手軽に生成できる。
【００６２】
本実施形態では、模型１０自体が小型であるため、簡単に持ち運び及び収納できる。本実施形態では、模型１０であるため操作性が低下してしまうことも防止できる。
【００６３】
本実施形態では、本体部材８１が直接操作されるため、操作に伴う動作を確実に実感できる。本実施形態では、本体部材８１の操作が解放されることにより口腔部３３が開放状態となり、本体部材８１が持ち上げられることによって口腔部３３が閉塞状態となる。このため、使用者は、本体部材８１を視認しなくても、本体部材８１を操作する手によって、本体部材８１の位置を確認できる。
【００６４】
本実施形態では、本体部材８１が個別に移動及び直接操作できるために、様々な音を手軽に生成させることができる。本実施形態では、往復動作によって、調音（構音）を実施でき、この状態で音を生成できる。
本実施形態では、周面開口部３３ｂが配設されているために、声道部３０の内部において本体部材８１をスライドでき、スライドによって往復動作を簡単に実施できる。  本実施形態では、周辺部材によって、本体部材８１は確実に滑らかにスライドできる。これにより本実施形態では、本体部材８１を開放状態と閉塞状態との間を滑らか往復させることができる。
【００６５】
本実施形態では、操作部８３ｂは開放状態において周面開口部３３ｂを通じて声道部３０の外部に露出しており、この操作部８３ｂによって開放状態において本体部材８１を直接操作できる。本実施形態では、動作本体部８３ａが上面板２５ａに当接したことを操作者は実感でき、当接によって口腔部３３が閉塞状態に切り替わったことを操作者は実感できる。
【００６６】
本実施形態では、本体部材８１は、自重によって閉塞状態から開放状態に移動する。このため、この移動における本体部材８１の操作を省くことができる。本体部材８１は自重によって初期位置に素早く戻るために、操作者は本体部材８１を持ち上げることに専念できる。本体部材８１はプラスチックであり軽いため、本体部材８１を素早く持ち上げることができ、持ち上がりと自重による戻りを素早く実施でき、目的とする音を明瞭且つ容易に生成できる。
【００６７】
本実施形態では、保持部材２５ｅによって、本体部材８１は開放状態において声道部に対して吊り下げられる。このため本実施形態では、全ての本体部材８１に対して、常に初期位置を簡単且つ同位置に保つことができる。
【００６８】
本実施形態では、下唇部材６０と歯部材７０との代わりに本体部材８１が配設されていてもよい。
【００６９】
本実施形態では、この模型１０に、頭部８７ａをイメージする別の模型を着脱自在に装着させてもよい。これにより本実施形態では、頭部８７ａ内における声道部３０の位置をより確実にイメージできる。
【００７０】
本実施形態では、閉塞状態において、例えば本体部材８１は上面板２５ａに当接して口腔部３３は完全に閉塞されているが、これに限定される必要はない。例えば本体部材８１は上面板２５ａに当接せず上面板２５ａに近接し、口腔部３３はほぼ閉塞されていてもよい。つまり本体部材８１は、開放状態に比べて上昇した状態であってもよい。この状態では、口腔部３３は、開放状態に比べて、閉じられていることを示す。この場合、本体部材８１は、例えば指などによって支持され、上昇位置を制御されている。言い換えると、口腔部３３の閉塞具合は、生成する音に応じて、所望に制御される。なお前記した内容は、下唇部材６０と開口部３３ａとについても同様である。
【００７１】
本実施形態では、各本体部材８１の形状とサイズとは、全て互いに対して同一となっているが、これに限定される必要はない。各本体部材８１の厚みは、互いにばらばらとなっていてもよい。また本体部材８１は個別に操作されるが、出力される音に応じて２つの本体部材８１が同時に操作されるように、複数の本体部材８１を１つのユニットとして操作してもよい。これにより、本実施形態では、操作性を向上できる。
【００７２】
本実施形態では、動作溝部８５には、図示しない嵌込部材が嵌め込まれてもよい。嵌込部材は、動作溝部８５と同じ形状で動作溝部８５全体を埋めてもよいし、動作溝部８５よりも小さく動作溝部８５の一部を埋めてもよい。この内容は、下唇溝部６３についても同様である。本実施形態では、嵌込部材によって、閉鎖音を生成可能となる。例えば、嵌込部材が下唇溝部６３に埋設されることによって、模型１０は例えば「ａｂａ」という閉鎖音を生成可能である。例えば、嵌込部材が動作溝部８５に埋設されることによって、模型１０は例えば「ａｄａ」や「ａｇａ」という閉鎖音を生成可能である。
【００７３】
本実施形態では、開口（開放）状態において、１つの機構（例えば咽頭部３１に配設されている舌根部５０）によって、模型１０は母音の「ａ」を生成可能となっている。しかしながら他の母音が生成される場合、例えば、咽頭部３１における機構は所望に変更されるなど、母音に合わせて適宜変更される。  
図４Ａに示すように、例えば舌根部５０が取り外されてもよい。この場合、舌根部５０が取り外されるため、咽頭部３１は広く開くこととなる。開口部３３ａの開口状態と口腔部３３の開放状態（下唇部材６０と全ての本体部材８１が吊り下げられている状態）とにおいて、声道部３０の形状によって、模型１０は「中性母音である「シュワ」」を生成可能となる。  
図４Ａに示す状態から、模型１０が操作者によって把持され、図４Ｂに示すように本体部材８１ａ，８１ｂ，８１ｃ，８１ｄ，８１ｅが上昇するように操作者に同時に操作される（持ち上げられる）と、口腔部３３は開放状態から閉塞状態に切り替わる。このとき開口部３３ａは開口状態（下唇部材６０が吊り下げられている状態）である。図４Ｂに示す声道部３０の形状によって、模型１０は「前舌母音に分類される母音「ｉ」」を生成可能となる。この閉塞状態では、本体部材８１が上面板２５ａに当接して口腔部３３は完全に閉塞されている。  
図４Ａに示す状態から、模型１０が操作者によって把持され、図４Ｃに示すように本体部材８１ａ，８１ｂ，８１ｃ，８１ｄ，８１ｅが上昇するように操作者に同時に操作される（持ち上げられる）と、口腔部３３は開放状態から閉塞状態に切り替わる。このとき開口部３３ａは開口状態（下唇部材６０が吊り下げられている状態）である。図４Ｃに示す声道部３０の形状によって、模型１０は「前舌母音に分類される母音「ｅ」」を生成可能となる。この閉塞状態では、本体部材８１が上面板２５ａに当接せず上面板２５ａに近接し、口腔部３３はほぼ閉塞されている。
【００７４】
図４Ａに示す開口（開放）状態、図４Ｂに示す閉塞状態、図４Ａに示す開口（開放）状態といった一連の往復動作によって調音（構音）が実施され、模型１０は「シュワｉシュワ」を生成可能となる。そして、模型１０は、「シュワｉシュワ」を発声可能となる。  
図４Ａに示す開口（開放）状態、図４Ｃに示すほぼ閉塞状態、図４Ａに示す開口（開放）状態といった一連の往復動作によって調音（構音）が実施され、模型１０は「シュワｅシュワ」を生成可能となる。そして、模型１０は、「シュワｅシュワ」を発声可能となる。  
図４Ｂに示す閉塞状態、図４Ｃに示すほぼ閉塞状態、図４Ｂに示す閉塞状態といった一連の往復動作によって調音（構音）が実施され、模型１０は「ｉｅｉ」を生成可能となる。そして、模型１０は、「ｉｅｉ」を発声可能となる。
【００７５】
このように、本実施形態の模型１０は、定常母音、例えば図３Ａ，３Ｃに示す「後舌母音」や図４Ａに示す「中性母音」や図４Ｂ，４Ｃに示す「前舌母音」を生成可能である。模型１０は、定常母音だけでなく、子音の一部を生成可能である。この子音は例えば日本語母語話者にとって習得が難しい英語の／ｒ／音であり、模型１０はこのような子音を生成可能である。具体的には、模型１０は、例えば、図３Ｂに示す「bunched／r／（盛り舌によるｒ音）」を生成可能である。
【００７６】
［第２の実施形態］  
［構成］  
以下に図５と図６Ａと図６Ｂと図６Ｃとを参照して、第１の実施形態とは異なる点のみ記載する。
【００７７】
第１の実施形態では、本体部材８１は、自重によって閉塞状態から開放状態に移動しているが、これに限定される必要はない。本体部材８１は、本体部材８１の操作が解放された際、付勢部材１００の付勢力によって閉塞状態から開放（開口）状態に移動する。
【００７８】
このため本実施形態では、口腔部３３において、図５に示すように、上面板２５ａが取り外され、底面板２５ｄが配設されている。そして周面開口部３３ｂは、例えば、口腔部３３として機能する声道部３０の一部の上面に配設されることとなる。本体部材８１は、例えば、周面開口部３３ｂを塞ぐように口腔部３３の上方に配設される。
【００７９】
図５に示すように、本体部材８１は、本体部材８１の両側面側に配設され、Ｚ方向に沿って配設され、口腔部３３を形成する板状部材（左側面板２３ａ，右側面板２３ｂ）に本体部材８１を支持する１対の支持部材８７を有している。支持部材８７は、例えば棒状部材である。Ｔ字の本体部材８１の上端部の両端部において、支持部材８７は、この両端部をＺ方向において貫通し、Ｘ方向において本体部材８１の側面に隣り合う。そして、図６Ａと図６Ｂとに示すように、一方の支持部材８７の下端部は左側面板２３ａにてＺ方向に形成されている板側溝部２５ｆに係合し、他方の支持部材８７の下端部は右側面板２３ｂにてＺ方向に形成されている板側溝部２５ｆに係合する。支持部材８７の下端部は、ネジである。
【００８０】
図６Ａと図６Ｂに示すように、本体部材８１は、スライド動作のために、例えば本体部材８１の両側面部に配設されている側面溝部８９を有している。側面溝部８９は、Ｚ方向に沿って配設されている。一方の固定部材９５がＸ方向に沿って左側面板２３ａを貫通して本体部材８１の左側面部の側面溝部８９に挿入され、他方の固定部材９５がＸ方向に沿って右側面板２３ｂを貫通して本体部材８１の右側面部の側面溝部８９に挿入されることによって、本体部材８１は口腔部３３にて支持される。言い換えると、本体部材８１が左側面板２３ａと右側面板２３ｂとに対して着脱自在となるように、本体部材８１は、本体部材８１の両側面部から左側面板２３ａと右側面板２３ｂとに固定部材９５によって取り付けられている。なお固定部材９５は、左側面板２３ａと右側面板２３ｂとに固定されている。
【００８１】
図５と図６Ａとに示すように、模型１０は、本体部材８１に配設され、本体部材８１を閉塞状態から開放（開口）状態に向かって付勢する付勢部材１００をさらに有している。付勢部材１００は、支持部材８７を巻回している。付勢部材１００の一端部はＴ字の支持部材８７の上端部の端部に当接し、付勢部材１００の他端部は左側面板２３ａ（右側面板２３ｂ）に当接している。付勢部材１００は、本体部材８１を上方に向かって付勢する付勢力を有している。付勢部材１００は、例えばバネである。
【００８２】
図６Ａに示す開放状態において、支持部材８７の頭部８７ａが本体部材８１の上面に当接し、固定部材９５が側面溝部８９の下端部に当接するように、付勢部材１００は上方に向かって伸びて本体部材８１を上方に付勢している。開放（開口）状態において、本体部材８１は、付勢部材１００によって持ち上げられた状態となる。この状態は、前記した開放（開口）状態であり、本体部材８１が本体部材８１の初期位置に静止している状態を示す。このとき支持部材８７の下端部が板側溝部２５ｆに係合しているため、支持部材８７が付勢力によって板側溝部２５ｆから抜けることを防止されている。
【００８３】
図６Ｂに示すように、閉塞状態において、付勢部材１００は下方に向かって縮む。
【００８４】
図６Ｂに示すように、本実施形態の本体部材８１は、本体部材８１が下方に向かって直接押圧されることによって開放（開口）状態から閉塞状態への移動を直接操作される。
【００８５】
図６Ｂに示すように、本体部材８１が底面板２５ｄに向かって移動するように本体部材８１が直接操作される。詳細には、本体部材８１は、付勢力以上の力で底面板２５ｄに向かって直接押圧される。これにより、付勢部材１００は下方に向かって縮み、側面溝部８９がＺ方向に沿って底面板２５ｄに向かって固定部材９５をスライドする。このとき、側面溝部８９は、固定部材９５によってガイドされる。前記に伴い、本体部材８１がＺ方向に沿って底面板２５ｄに向かって本体部材８１の周辺に配設されている周辺部材（例えば左側面板２３ａや右側面板２３ｂ等）をスライドする。このとき、本体部材８１は、周辺部材によってガイドされる。そして、本体部材８１が底面板２５ｄに当接すると、口腔部３３と開口部３３ａとは閉塞状態に切り替わる。
【００８６】
図６Ｂに示すように、本体部材８１の操作が解放される（例えば指が本体部材８１から離れる）と、付勢部材１００は上方に向かって伸び、本体部材８１は付勢部材１００の付勢力によって上昇する。そして、側面溝部８９がＺ方向に沿って上方に向かって固定部材９５をスライドする。このとき、側面溝部８９は、固定部材９５によってガイドされる。前記に伴い、本体部材８１がＺ方向に沿って上方に向かって周辺部材をスライドする。このとき、本体部材８１は、周辺部材によってガイドされる。支持部材８７の頭部８７ａが本体部材８１の上面に当接し、固定部材９５が側面溝部８９の下端部に当接すると、本体部材８１は、前記した持ち上げられた状態となる。そして、口腔部３３と開口部３３ａとは、開放（開口）状態に切り替わる。このように本体部材８１は、付勢力によって初期位置に戻る。
【００８７】
支持部材８７の頭部８７ａが本体部材８１の上面に当接し、固定部材９５が側面溝部８９の下端部に当接すると、開放（開口）状態が維持される。模型１０は、本体部材８１が声道部３０に取り付けられた状態で開放（開口）状態が維持されるように、付勢力を規制する規制機構を有することとなる。規制機構は、支持部材８７の頭部８７ａと本体部材８１の上面と固定部材９５と側面溝部８９の下端部とを有する。本体部材８１は、開放（開口）状態（初期位置における配置）を、付勢部材１００と規制機構とによって維持される。
【００８８】
図５に示すように、本実施形態では、前面板２１ａと舌根部５０は取り外され、本体部材８１は、咽頭部３１の前方にさらに配設される。この本体部材８１において、付勢部材１００は、本体部材８１を前方に向かって付勢する付勢力を有している。
【００８９】
図６Ｃに示すように、本体部材８１が背面板２３ｃに向かって移動するように本体部材８１が直接操作される。詳細には、本体部材８１は、付勢力以上の力で背面板２３ｃに向かって直接押圧される。これにより、付勢部材１００は後方に向かって縮み、側面溝部８９がＹ方向に沿って背面板２３ｃに向かって固定部材９５をスライドする。このとき、側面溝部６１は、固定部材９５によってガイドされる。前記に伴い、本体部材８１がＹ方向に沿って背面板２３ｃに向かって本体部材８１の周辺に配設されている周辺部材（例えば左側面板２３ａや右側面板２３ｂ等）をスライドする。このとき、本体部材８１は、周辺部材によってガイドされる。そして、本体部材８１が背面板２３ｃに当接すると、咽頭部３１は閉塞状態に切り替わる。
【００９０】
本体部材８１の操作が解放される（例えば指が本体部材８１から離れる）と、付勢部材１００は前方に向かって伸び、本体部材８１は付勢部材１００の付勢力によって前方に移動する。そして、側面溝部８９がＹ方向に沿って前方に向かって固定部材９５をスライドする。このとき、側面溝部８９は、固定部材９５によってガイドされる。前記に伴い、本体部材８１がＹ方向に沿って前方に向かって周辺部材をスライドする。このとき、本体部材８１は、周辺部材によってガイドされる。支持部材８７の頭部８７ａが本体部材８１の上面に当接し、固定部材９５が側面溝部８９の一端部に当接すると、本体部材８１は、咽頭部３１から押し出された状態となる。そして、咽頭部３１は、開放状態に切り替わる。このように本体部材８１は、付勢力によって初期位置に戻る。このとき、前記同様に、本体部材８１は、開放状態（初期位置における配置）を、付勢部材１００と規制機構とによって維持される。付勢機構は、支持部材８７の頭部８７ａと本体部材８１の上面と固定部材９５と側面溝部８９の下端部とを有する。
【００９１】
なお本体部材８１が咽頭部３１の前方にさらに配設されていなければ、本体部材８１は、口腔部３３の上方の代わりに、第１の実施形態と同様に口腔部３３の下方にのみ配設されてもよい。このため、周面開口部３３ｂは、口腔部３３として機能する声道部３０の一部の上面と咽頭部３１として機能する声道部３０の他部の側面との少なくも一方に配設される、または口腔部３３として機能する声道部３０の一部の下面に配設されることとなる。
【００９２】
本実施形態でも第１の実施形態と同様の効果を得ることができる。  
本実施形態では、舌根部５０が取り外されているが、咽頭部３１における本体部材８１が咽頭部３１に挿入されることで、本体部材８１は舌根部５０として機能することとなる。このため、本実施形態では、舌根部５０の着脱性を、第１の実施形態よりも向上できる。また本実施形態では、例えば図３Ａに示す「後舌母音に分類される母音「ａ」」と図４Ａに示す「中性母音である「シュワ」」とを切り替えて出力でき、出力できる音の種類を増やすことができる。また本実施形態では、例えば、図３Ａに示す「後舌母音に分類される母音「ａ」」と図４Ａに示す「中性母音である「シュワ」」との切り替えといった、舌根部５０を用いて出力される音と舌根部５０を用いないで出力される音との切り替えを素早く実施できる。
【００９３】
本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。
【符号の説明】
【００９４】
１０…声道模型、３０…声道部、３１…咽頭部、３３…口腔部、５０…舌根部、６０…下唇部材、７０…歯部材、８０…舌本体ユニット、８１…本体部材。
【図１Ａ】
0006521509.tif 000002
【図１Ｂ】
0006521509.tif 000003
【図２Ａ】
0006521509.tif 000004
【図２Ｂ】
0006521509.tif 000005
【図２Ｃ】
0006521509.tif 000006
【図２Ｄ】
0006521509.tif 000007
【図２Ｅ】
0006521509.tif 000008
【図３Ａ】
0006521509.tif 000009
【図３Ｂ】
0006521509.tif 000010
【図３Ｃ】
0006521509.tif 000011
【図４Ａ】
0006521509.tif 000012
【図４Ｂ】
0006521509.tif 000013
【図４Ｃ】
0006521509.tif 000014
【図５】
0006521509.tif 000015
【図６Ａ】
0006521509.tif 000016
【図６Ｂ】
0006521509.tif 000017
【図６Ｃ】
0006521509.tif 000018